(57)【特許請求の範囲】
【請求項１】
基部にフォ−ク状とした一対の装着片を備え、その装着片の前方に少なくとも上面にボックス状としたニ−ドル収容部を備えたニ−ドルガ−ドを有し、そのニ−ドルガ−ドの前記した一対の装着片を本体ケ−シングの前端寄りに枢支し、その一対の装着片の少なくとも一方に対してストッパ−が作用され所定の位置状態を保持することができるようにされていることとし、前記したニ−ドルガ−ドの一部には、そのニ−ドルガ−ドを枢動させるための操作部を設けてあり、前記した一対の装着片は後方にかけて下方へ向う鈍角に平行形成されており、前記したストッパ−は先端を山形とし、附勢手段により附勢されたスライダ−タイプのものとし、その先端の山形のいずれかの辺部で装着片の辺部を抑えることとしたこととし、前記したストッパ−は装着片の一部と前端を連接させ、後端を巻き込んだバネ性を有する遊端とし、その遊端の上縁に略矩形の作用部を一体に備え、その作用部のいずれかの辺部を本体ケ−シングに突設した係止ピンと係合して位置決めすることとしたニ−ドルガ−ドの装備構造において、前記したニ−ドル収容部の底面にはニ−ドル使用時の倒伏時にタグ吊持部材アッセンブリの排出されたランナ−部を抑え、本体のグリップを握持している指がそのランナ−部との接触をしないようにする切り欠き溝を形成していることを特徴とするニ−ドルガ−ドの装備構造。
【請求項２】
前記したニ−ドルガ−ドの切り欠き溝の入口部分にはランナ−部を導いてセットし易いようにガイドテ−パが形成されていることを特徴とする請求項１に記載のニ−ドルガ−ドの装備構造。
【請求項３】
前記した切り欠き溝の近辺に使い切ったタグ吊持部材アッセンブリのランナ−部の落下防止用のバネ性を有するランナ−ストッパ−を設けてあることを特徴とする請求項１または２に記載のニードルガードの装備構造。
【発明の詳細な説明】
【０００１】
【発明の属する技術分野】
本発明はニ−ドルガ−ドの装備構造、特に被服等の商品に価格や品質等の表示したタグを吊持させるため、ファイバ−の両端に抜け止めを備えたタグ吊持部材を装着するための装着具、それも前記したタグ吊持部材のアッセンブリを用いての装着具に設けられているニ−ドルについてのニ−ドルガ−ドの装備構造に関する。
【０００２】
【発明の背景】
近時、被服等の商品に価格や品質を表示したタグを吊持させる場合、従来の糸に代え、カッタ−を用いなければ切断することができず、また装着作業性の面からもプラスチック製のファイバ−材を用いた吊持部材が使用されている。この吊持部材はファイバ−部分の両端に抜け止め部を一体に有しているもので、最近はこの吊持部材をランナ−に並設して設けたアッセンブリとし、専用の装着装置を利用するものとなっている。
【０００３】
この装着装置は片手でグリップを握持するハンディタイプのものとされ、トリガ−レバ−を引くことで、内部メカニズムで連動される装置先端に取り付けられた中空ニ−ドルが作動して、アッセンブリとして装填された吊持部材の一本をランナ−から切り離し、前記ニ−ドルが被服等を刺し通すのと同期して送り込み、タグを取り付けるものとなっている。なお、アッセンブリは内部メカニズムによって一本の吊持部材ごとのピッチで送られるものとなっている。
【０００４】
【発明が解決しようとする課題】
この装着装置は不使用時にあっても鋭利なニ−ドルが露呈されたままの状態となっているため、人体や商品を刺してしまう危険性が存在するため、従来は不使用時に保護キャップを装着する等の対策がなされていたが、この保護キャップは紛失し易く、また、紐等で継なげておくと作業時に邪魔となることもあり、その保護キャップの使用を忘れてしまうことも多かった。
【０００５】
また、通例、吊持部材がカットされた後のランナ−は下方、即ち、グリップ部を握持している指の前へ垂下して送られてくるもので、装置の使用時の角度等によっては吊持部材のカット跡の突起が指に接触してしまい、痛さを覚えたり、不快感を覚えたりするものであった。そのため、特別なガ−ド部材を取り付けることも提唱されたが、いずれも大がかりで、装置の不使用時の収納等の際に邪魔となり、全体としての外観を損なってしまうものともなっていた。
【０００６】
【発明の目的】
そこで、本発明は上記した従来の実情、問題点に着目してなされたもので、コンパクトな形態としたニ−ドルガ−ドを枢動自在に備えて、装置の不使用時にはニ−ドルを収容して危険から守り、装置の使用時には枢動させてランナ−が指に接触するのをガ−ドする部材として使用することができることとし、その各々の位置においてストッパ−で位置決め固定することができ、使い切ったタグ吊持部材アッセンブリのランナ−部が近辺に散乱してしまうことも防止できるようにしたニ−ドルガ−ドの装備構造を提供することを目的としている。
【０００７】
【課題を解決するための手段】
この目的を達成するために、本発明に係るニードルガードの装備構造は基部にフォ−ク状とした一対の装着片を備え、その装着片の前方に少なくとも上面にボックス状としたニ−ドル収容部を備えたニ−ドルガ−ドを有し、そのニ−ドルガ−ドの前記した一対の装着片を本体ケ−シングの前端寄りに枢支し、その一対の装着片の少なくとも一方に対してストッパ−が作用され所定の位置状態を保持することができるようにされていることとし、前記したニ−ドルガ−ドの一部には、そのニ−ドルガ−ドを枢動させるための操作部を設けてあり、前記した一対の装着片は後方にかけて下方へ向う鈍角に平行形成されており、前記したストッパ−は先端を山形とし、附勢手段により附勢されたスライダ−タイプのものとし、その先端の山形のいずれかの辺部で装着片の辺部を抑えることとしたこととし、前記したストッパ−は装着片の一部と前端を連接させ、後端を巻き込んだバネ性を有する遊端とし、その遊端の上縁に略矩形の作用部を一体に備え、その作用部のいずれかの辺部を本体ケ−シングに突設した係止ピンと係合して位置決めすることとしたニ−ドルガ−ドの装備構造において、前記したニ−ドル収容部の底面にはニ−ドル使用時の倒伏時にタグ吊持部材アッセンブリの排出されたランナ−部を抑え、本体のグリップを握持している指がそのランナ−部との接触をしないようにする切り欠き溝を形成していることを特徴としている。
【０００８】
また、本発明に係るニードルガードの装備構造は前記したニ−ドルガ−ドの切り欠き溝の入口部分にはランナ−部を導いてセットし易いようにガイドテ−パが形成されていることを特徴としている。
【０００９】
さらに、本発明に係るニードルガードの装備構造は前記した切り欠き溝の近辺に使い切ったタグ吊持部材アッセンブリのランナ−部の落下防止用のバネ性を有するランナ−ストッパ−を設けてあることを特徴としている。
【００１０】
【作用】
上記した構成としたことによってコンパクトでシンプルな形態でありながら、簡単な操作のみで装着装置の不使用時にはニ−ドルを収容させて危険を防止するガ−ドとなり、装着装置の使用時にはランナ−が指と接触してしまうのを防止するガ−ドとして用いることができる。即ち、本発明によれば単一の部材を装着装置の使用時、不使用時を通して常時役立つものとすることができることとなるのである。
【００１１】
【発明の実施の形態】
次に、本発明の好ましい実施の形態を図面を参照して説明する。図１は本発明を実施したニ−ドルガ−ドの装備構造を示す正面図、図２は同じく平面図、図３は同じく側面図、図４は同じく背面図、図５は同じく第二の実施例を示す正面図、図６は同じく平面図、図７は同じく側面図、図８は同じく解放時の状態を示す正面図、図９は同じくランナ−ガ−ドとしての使用状態を示す正面図である。
【００１２】
これらの図にあって１は先に説明した吊持部材の装着装置を示し、２はグリップ、３はトリガ−レバ−、４はニ−ドル、５は吊持部材のランナ−装填部、６は抜け止め部の装填通路、７はファイバ−部の装填通路を示している。また、８はその吊持部材の着脱を行なうためのスライド操作部である。
【００１３】
また、図中９はニ−ドルガ−ドを示しており、このニ−ドルガ−ド９はその基部に蛙股に近いフォ−ク状の一対の装着片１０ａ・１０ｂを一体に備えている。この装着片１０ａ・１０ｂは後方にかけて下方に向う鈍角に形成された平行状態のものとなっており、この装着片のうち１０ａは後述するストッパ−の作用を受けるため１０ｂに比してやや長目に形成されている。
【００１４】
この装着片１０ａ・１０ｂはその基端近くに係止ピン１１・１１が同軸上に相対向して備えられ、その係止ピン１１・１１によって装着装置１を構成するケ−シングの前端寄りの位置に枢動自在に備えられている。
【００１５】
さらに、ニ−ドルガ−ド９の装着片１０ａ・１０ｂの前方にはニ−ドル４の収容部１２が少なくとも上面を開口としたボックス状に形成されたものとなっている。
【００１６】
また、このニ−ドル４の収容部１２の底面には切り欠き溝１３が形成されており、この切り欠き溝１３の入口部分は送り出されてきたランナ−Ｌを導き入れ易いようにガイドテ−パ１４が形成されている。
【００１７】
そして、図中１５は装着装置１のケ−シング外面に備えられたスライダ−タイプのストッパ−であり、このストッパ−１５は表面に滑り止めが施され、特に図示しないコイルスプリングによって常時前方に向けて附勢されている。このストッパ−１５はその前端が山形に形成されているもので、装着装置１の不使用時にはニ−ドルガ−ド９を前方へ突き出して収容部１２内にニ−ドルを収容した状態とし、その装着片１０ａの後端上縁辺をストッパ−１５の下方の縁辺で抑え位置決めし、このニ−ドルガ−ド９を倒伏してランナ−Ｌのガ−ドとする装着装置１の使用時には装着片１０ａの後端下縁辺をストッパ−１５の上方の縁辺で抑えて位置決めするものとなっている。この位置決めはストッパ−１５を附勢方向に抗して図中の矢印方向へスライドさせることによって解放される。
【００１８】
なお、図中１６はニ−ドルガ−ド９の枢動動作をなすため、収容部１２の外面に設けられた操作部であり、２２は切り欠き溝１３の内面に設けられたランナ−ストッパ−を示している。このランナ−ストッパ−２２はバネ性を保有した屈曲片や膨出部等によって形成され、使い切ったタグ吊持部材アッセンブリのランナ−部Ｌが通過していく時に、弱い抵抗力をもってそのランナ−部Ｌが自然落下し、作業周辺に散乱してしまうことを防止するものとなっている。
【００１９】
次に、図５乃至図９を用いて第二の実施例を説明する。なお、この図５乃至図９にあって先に述べた第一の実施例と共通する部分、部品等は同一の符号を付して詳しい説明は省略する。この第二の実施例にあっては装着片１０ａの後端寄り表面にストッパ−１７がその後端部分をマイナスピン１８等の固定要素により固着されている。その固着はマイナスピン１８の頭部に透孔を嵌め、その透孔に渡された係合部１７ａをマイナスピン１８の頭部の溝に圧嵌してあるもので着脱も可能なものとしている。
【００２０】
このストッパ−１７はプラスチック等の弾性保有材によって略逆「の」の字状に曲成されているもので、その前端部分１７ｂを肉薄として、後端部分１７ｃをその略倍程度の肉厚として、全体としてのバネ性を強いものとしている。
【００２１】
また、ストッパ−１７の肉薄とされた前端部分１７ｂは装着片１０ａの外側面に形成された受部１９の後端に形成された受溝１９ａに嵌合係止されている。一方、ストッパ−１７の肉厚とされた後端部分１７ｃの上部には略矩形とした押圧操作兼係止部２０が一体に突出形成されている。
【００２２】
さらに、図中２１は装着装置１のケ−シングに突設された係合受ピンであり、装着装置１の不使用時にはニ−ドルガ−ド９は前方へ突出されて収容部１２にニ−ドル４を収容した状態となり、押圧操作兼係止部２０の前面縁辺がこの係合受ピン２１と係合してその位置決めをする。また、装着装置１の使用時には押圧操作兼係止部２０を押し込むことでこの係合状態が外れ、ニ−ドルガ−ド９が枢動可能となる。この際、押圧操作兼係止部２０の押圧力は受溝１９ａで嵌合係止されているストッパ−１７の前端部分１７ｂが応力として受けることになる。
【００２３】
こうして枢動され、倒伏されてランナ−Ｌのガ−ド状態にニ−ドルガ−ド９がなった時、押圧していた押圧操作兼係止部２０の押圧を解放すると、ストッパ−１７の後端部分１７ｃは復元し、押圧操作兼係止部２０の後面縁辺が係合受ピン２１と係合してその状態の位置決めをすることとなる。この第二の実施例によればストッパ−１７を装着装置に残すことなく外してしまうこともできることとなる。勿論、ニ−ドルガ−ド９自体は第一の実施例ともども係止ピン１１・１１を外すことで着脱は可能となる。
【００２４】
【発明の効果】
本発明に係るニ−ドルガ−ドの装備構造は上述のように構成されている。そのため、コンパクトでシンプルな構造となっており、ストッパ−を作動させる簡単な操作のみで、不使用時のニ−ドルからのガ−ドと使用時におけるランナ−と指の接触のガ−ドとを切り換えることができるものとなっている。即ち、一つの部材であるニ−ドルガ−ドが装着装置の使用時、不使用時を通して常に効するものとなっており、その機構の簡易性から故障する虞もなく、低廉な価格で需要者に供給することができる。
【図面の簡単な説明】
【図１】本発明を実施したニ−ドルガ−ドの装備構造を示す正面図である。
【図２】平面図である。
【図３】側面図である。
【図４】背面図である。
【図５】第二の実施例を示す正面図である。
【図６】平面図である。
【図７】側面図である。
【図８】解放時の状態を示す正面図である。
【図９】ランナ−ガ−ドとしての使用状態を示す正面図である。
【符号の説明】
１  装着装置
２  グリップ
３  トリガ−レバ−
４  ニ−ドル
５  ランナ−装填部
６  抜け止めの装填通路
７  ファイバ−部の装填通路
８  スライド操作部
９  ニ−ドルガ−ド
１０ａ  装着片
１０ｂ  装着片
１１  係止ピン
１２  収容部
１３  切り欠き溝
１４  ガイドテ−パ
１５  ストッパ−
１６  操作部
１７  ストッパ−
１８  マイナスピン
１９  受部
２０  押圧操作兼係止部
２１  係合受ピン
２２  ランナ−ストッパ−
Ｌ  ランナ−
【図１】
0004758026.tif 000002
【図２】
0004758026.tif 000003
【図３】
0004758026.tif 000004
【図４】
0004758026.tif 000005
【図５】
0004758026.tif 000006
【図６】
0004758026.tif 000007
【図７】
0004758026.tif 000008
【図８】
0004758026.tif 000009
【図９】
0004758026.tif 000010